【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
フィードバック回路を設計するための方法であって、
フィードバック段を有する基準回路設計を目標クロスオーバー周波数でシミュレートするステップと、
前記目標クロスオーバー周波数での前記基準回路設計の初期位相マージンを求めるステップと、
前記初期位相マージンがしきい値位相マージンよりも小さい場合には、前記初期位相マージンを増大させるために前記フィードバック段にインピーダンス回路網を付加するステップとを備える、方法。
【請求項２】
結果として得られる位相マージンが前記初期位相マージンよりも大きい状態で、前記目標クロスオーバー周波数に近接した結果として得られるクロスオーバー周波数で前記基準回路設計が動作するように、前記インピーダンス回路網のインピーダンス構成部品の値を算出するステップを更に備える、請求項１に記載の方法。
【請求項３】
前記インピーダンス回路網のインピーダンス構成部品の値を算出するステップは、前記目標クロスオーバー周波数よりも少なくとも１ｄｅｃａｄｅだけ高く発生する極と、実質的に結果として得られるクロスオーバー周波数で発生するゼロとを前記基準回路設計の伝達関数に付加するステップを含む、請求項２に記載の方法。
【請求項４】
前記基準回路設計の結果として得られるクロスオーバー周波数、結果として得られるクロスオーバー位相マージン、位相応答曲線、振幅応答曲線からなるグループから選択された基準回路設計特性を表す出力信号を生成するステップを更に備える、請求項２に記載の方法。
【請求項５】
前記基準回路設計のループゲインを前記目標クロスオーバー周波数での近似的回路設計ゲインに制限するように前記基準回路設計のゲインリミッタの値を設定するステップを更に備える、請求項１に記載の方法。
【請求項６】
前記インピーダンス回路網を付加するステップは、前記ゲインリミッタに並列に抵抗容量（ＲＣ）回路網を付加して前記初期位相マージンの振幅を増大させるステップを含む、請求項１に記載の方法。
【請求項７】
前記目標クロスオーバー周波数での前記基準回路設計の位相マージンを増大させるように前記フィードバック段に含まれるフィードバック構成部品の値を算出するステップを更に備える、請求項１に記載の方法。
【請求項８】
前記方法は、前記基準回路設計とその基準回路設計のパラメータがロードされたコンピュータ支援設計（ＣＡＤ）ツールにより実行される、請求項１に記載の方法。
【請求項９】
機械によって実行される場合に、フィードバック回路を設計するための動作を前記機械に実行させる命令を提供する機械アクセス可能媒体であって、前記動作は、
フィードバック段を有する基準回路設計を目標クロスオーバー周波数でシミュレートするステップと、
前記目標クロスオーバー周波数での前記基準回路設計の初期位相マージンを求めるステップと、
前記初期位相マージンがしきい値位相マージンよりも小さい場合に、その初期位相マージンを増大させるために前記フィードバック段にインピーダンス回路網を付加するステップとを含む、機械アクセス可能媒体。
【請求項１０】
前記機械によって実行される場合に、
前記基準回路設計のループゲインを前記目標クロスオーバー周波数での近似的回路設計ゲインに制限するように前記基準回路設計のゲインリミッタの値を設定するステップを含む追加の動作を前記機械に実行させる命令を更に提供する、請求項９に記載の機械アクセス可能媒体。
【請求項１１】
前記インピーダンス回路網を付加するステップは、前記ゲインリミッタに並列に抵抗容量（ＲＣ）回路網を付加して前記初期位相マージンの振幅を増大させるステップを含む、請求項１０に記載の機械アクセス可能媒体。
【請求項１２】
前記機械によって実行される場合に、
結果として得られる位相マージンが前記初期位相マージンよりも大きい状態で、前記目標クロスオーバー周波数に近接した結果として得られるクロスオーバー周波数で前記基準回路設計が動作するように、前記ＲＣ回路網のインピーダンス構成部品の値を算出するステップを含む追加の動作を前記機械に実行させる命令を更に提供する、請求項１１に記載の機械アクセス可能媒体。
【請求項１３】
前記ＲＣ回路網のインピーダンス構成部品の値を算出するステップは、前記目標クロスオーバー周波数よりも少なくとも１ｄｅｃａｄｅ高く発生する極と、実質的に前記目標クロスオーバー周波数で発生するゼロとを前記基準回路設計の伝達関数に付加するステップを含む、請求項１２に記載の機械アクセス可能媒体。
【請求項１４】
前記機械によって実行される場合に、
前記基準回路設計の結果として得られるクロスオーバー周波数、結果として得られるクロスオーバー位相マージン、位相応答曲線、振幅応答曲線からなるグループから選択された基準回路設計特性を表す出力信号を生成するステップを含む追加の動作を前記機械に実行させる命令を更に提供する、請求項１２に記載の機械アクセス可能媒体。
【請求項１５】
前記基準しきい値位相マージンは４５度に等しい、請求項９に記載の機械アクセス可能媒体。
【請求項１６】
フィードバック回路を設計するためのシステムであって、
命令を実行するプロセッサと、
前記命令を格納するために前記プロセッサに結合されたランダムアクセスメモリと、
前記プロセッサに結合され、コンピュータ支援設計（ＣＡＤ）ツールを格納するデータ記憶ユニット（ＤＳＵ）とを備え、
前記コンピュータ支援設計（ＣＡＤ）ツールは、前記プロセッサにより実行されたときに、
フィードバック段を有する基準回路設計を前記ＤＳＵから前記ＣＡＤツールにロードするステップと、
前記ＣＡＤツールを用いて目標クロスオーバー周波数で前記基準回路設計をシミュレートするステップと、
前記目標クロスオーバー周波数で前記基準回路設計の初期位相マージンを求めるステップと、
前記初期位相マージンがしきい値位相マージンよりも小さい場合、その初期位相マージンを増大させるために前記フィードバック段にインピーダンス回路網を付加するステップとを含む動作を前記プロセッサに実行させる、システム。
【請求項１７】
前記インピーダンス回路網を付加するステップは、
前記基準回路設計のループゲインを近似的回路設計ゲインに制限するように前記基準回路設計に含まれるゲイン制限抵抗の抵抗値を設定するステップと、
前記ゲイン制限抵抗に並列に抵抗容量（ＲＣ）回路網を付加するステップと、
前記初期位相マージンを増大させるように前記ＲＣ回路網の値を算出するステップとを含む、請求項１６に記載のシステム。
【請求項１８】
前記ＲＣ回路網の値を算出するステップは、前記目標クロスオーバー周波数よりも少なくとも１ｄｅｃａｄｅ高く発生する極と、実質的に目標クロスオーバー周波数で発生するゼロとを前記基準回路設計の伝達関数に付加するステップを含む、請求項１７に記載のシステム。
【請求項１９】
前記基準回路設計は、前記フィードバック段に結合された電力段を有する電源回路設計を含む、請求項１６に記載のシステム。
【請求項２０】
前記電源回路設計の電力段は、変圧器に結合された集積回路電源コントローラを含む、請求項１９に記載のシステム。
【請求項２１】
前記ＣＡＤツールは、前記基準回路設計の回路構成部品値、前記目標クロスオーバー周波数、前記しきい値位相マージン、目標ループゲインからなるグループから選択された前記基準回路設計のパラメータを前記ＣＡＤツールのユーザが入力することを可能にするグラフィカルユーザインタフェース（ＧＵＩ）を含む、請求項１６に記載のシステム。
【請求項２２】
前記グラフィカルユーザインタフェースは更に、位相応答曲線、振幅応答曲線、前記基準回路設計のループゲインがほぼ１に等しい結果として得られるクロスオーバー周波数、前記結果として得られたクロスオーバー周波数で算出された前記基準回路設計の結果として得られたクロスオーバー位相マージンからなるグループから選択された出力データを表示するためのＧＵＩウィンドウを含む、請求項２１に記載のシステム。
【請求項２３】
前記インピーダンス回路網のインピーダンス構成部品のキャパシタンス値を算出するステップは、ゲインリミッタの値に応答して、および前記目標クロスオーバー周波数に応答してキャパシタンス値を算出するステップを含む、請求項１に記載の方法。
【請求項２４】
ゲインリミッタは抵抗器であり、前記ゲインリミッタの値を調節するステップは前記抵抗器の値を調節するステップを含む、請求項１に記載の方法。
【請求項２５】
フィードバック回路を設計する方法であって、
電源の出力を安定化するフィードバック段を含む電源回路を表す基準回路設計を目標クロスオーバー周波数でシミュレートするステップと、
前記基準回路設計の初期位相マージンを求めるステップと、
前記基準回路設計のループゲインを制限するように前記基準回路設計のゲインリミッタの値を調節するステップとを備え、前記ゲインリミッタは実質的に抵抗であり、前記基準回路設計の初期位相マージン曲線は前記ゲインリミッタの前記値の調節に応答して実質的に影響を受けず、前記方法はさらに、
前記目標クロスオーバー周波数での前記基準回路設計の初期位相マージンとしきい値位相マージンとの比較に応答して、前記初期位相マージンを増大させるために前記フィードバック段にインピーダンス回路網を付加するステップを備え、前記インピーダンス回路網は前記ゲインリミッタに並列に結合され、前記フィードバック段に前記インピーダンス回路網を付加するステップは、前記ゲインリミッタの値に応答して前記インピーダンス回路網のインピーダンス構成部品のキャパシタンス値を算出するステップを含む、方法。
【請求項２６】
結果として得られる位相マージンが前記初期位相マージンよりも大きい状態で、前記目標クロスオーバー周波数に近接した結果として得られるクロスオーバー周波数で前記基準回路設計が動作するように、前記インピーダンス回路網のインピーダンス構成部品の値を算出するステップを更に備える、請求項２３に記載の方法。
【請求項２７】
前記インピーダンス回路網のインピーダンス構成部品の値を算出するステップは、前記目標クロスオーバー周波数よりも少なくとも１ｄｅｃａｄｅだけ高く発生する極と、実質的に結果として得られるクロスオーバー周波数で発生するゼロとを前記基準回路設計の伝達関数に付加するステップを含む、請求項２４に記載の方法。
【請求項２８】
前記基準回路設計の結果として得られるクロスオーバー周波数、結果として得られるクロスオーバー位相マージン、位相応答曲線、振幅応答曲線からなるグループから選択された基準回路設計特性を表す出力信号を生成するステップを更に備える、請求項２４に記載の方法。
【請求項２９】
前記ゲインリミッタの前記値の設定によって、前記基準回路設計のループゲインを前記目標クロスオーバー周波数での近似的回路設計ゲインに制限する、請求項２３に記載の方法。
【請求項３０】
前記インピーダンス回路網を付加するステップは、前記ゲインリミッタに並列に抵抗容量（ＲＣ）回路網を付加して前記初期位相マージンの振幅を増大させるステップを含む、請求項２３に記載の方法。
【請求項３１】
前記目標クロスオーバー周波数での前記基準回路設計の位相マージンを増大させるように前記フィードバック段に含まれるフィードバック構成部品の値を算出するステップを更に備える、請求項２３に記載の方法。
【請求項３２】
前記方法は、前記基準回路設計とその基準回路設計のパラメータがロードされたコンピュータ支援設計（ＣＡＤ）ツールにより実行される、請求項２３に記載の方法。
【請求項３３】
前記インピーダンス回路網のインピーダンス構成部品の前記キャパシタンス値を算出するステップは、前記ゲインリミッタの値に応答して、および前記目標クロスオーバー周波数に応答してキャパシタンス値を算出するステップを含む、請求項２３に記載の方法。
【請求項３４】
前記ゲインリミッタは抵抗器であり、前記ゲインリミッタの値を調節するステップは前記抵抗器の値を調節するステップを含む、請求項２３に記載の方法。